(57)【要約】本発明は、液体及びゲル形成手段で充填可能なスポーツ用品の組立体に係る。スポーツ用品は、パンチ・バッグ等であり、液体で充填可能なものである。使用可能な状態で工場から届くパンチ・バッグは、非常に場所をとり、比較的重く、輸送中の取扱いで破損し易い。本発明によれば、パンチ・バッグは、空のパンチ・バッグ及びゲル形成手段の組立体としてユーザに提供される。パンチ・バッグは、空の状態（小さい容積、低重量）で提供され得る。ユーザは、購入後にパンチ・バッグを水で充填し、ゲル形成手段を加え、パンチ・バッグが所望される衝撃特性を得るようにする。特には、使用中の水の飛び跳ねをこのように防止するようにされる。
2006515527.tif 000002
【特許請求の範囲】
【請求項１】
スポーツ用品の組立体（１）であって、液体、及び前記液体との組合せでゲルを形成するゲル形成手段で充填可能であり、前記スポーツ用品は、液密の外側ケーシング（２）及び可閉の充填機器（４）を備えられる、組立体。
【請求項２】
前記外側ケーシング（２）は、柔軟で実質的に非伸縮性のプラスチックから製造される、請求項１記載の組立体。
【請求項３】
前記プラスチックはポリアミドを有する、請求項２記載の組立体。
【請求項４】
前記プラスチックはポリ塩化ビニルを有する、請求項２記載の組立体。
【請求項５】
前記スポーツ用品はパンチ・バッグ（１）である、請求項１乃至４のうちいずれか一項記載の組立体。
【請求項６】
前記パンチ・バッグは、前記パンチ・バッグが懸架の軸の周囲を回転することを防ぐよう、回転防止懸架手段（１８）を更に備えられる、請求項５記載の組立体。
【請求項７】
請求項１記載の組立体に使用するパンチ・バッグの形状のスポーツ用品であって、前記パンチ・バッグは、液密且つ柔軟性のある外側ケーシング（２）、及び可閉の充填機器（４）を備えられる、スポーツ用品。
【請求項８】
前記パンチ・バッグは、前記回転防止懸架手段（１８）を取り付けるよう前記ケーシングと一体化した懸架用の孔（８）を有する、請求項７記載のスポーツ用品。
【請求項９】
前記可閉の充填機器（４）は、前記外側ケーシング（２）と一体化されたネジ部を有し、前記ネジ部にねじ込むネジ蓋（１２）によって閉じられることが可能である、請求項７又は８のいずれか一項記載のスポーツ用品。
【請求項１０】
前記ネジ部の前記切込み側は、前記懸架用の孔（８）の前記内側に位置付けられる、請求項９記載のスポーツ用品。
【請求項１１】
前記外側ケーシング（２）は透明であり、前記パンチ・バッグは、前記パンチ・バッグ内に配置された切換え可能な光源を備えられる、請求項７乃至１０のうちいずれか一項記載のスポーツ用品。
【請求項１２】
前記外側ケーシング上に配置されたマーキングを備えられた、請求項７乃至１１のうちいずれか一項記載のスポーツ用品。
【発明の詳細な説明】
【技術分野】
【０００１】
本発明は、内部に液体を配置され得る外側ケーシングを備えたスポーツ用品に係る。
【背景技術】
【０００２】
球状のパンチボールの形状であるかかるスポーツ用品は、英国特許第２６１，６１４号明細書（特許文献１）から既知である。かかるパンチボールは、部分的に水で充填された未結合の空気袋を内部に位置付けられた外側ケーシングを有する。前述の特許からは、空気袋がどのように外側ケーシング内に置かれるか、又は水がどのように空気袋に入れられるか推察することが出来ない。しかしながら、従来は、液体で充填可能なスポーツ用品は、既に液体充填剤で充填された状態で提供されることが通常である。
【特許文献１】英国特許第２６１，６１４号明細書
【発明の開示】
【発明が解決しようとする課題】
【０００３】
本発明は、製造、格納、及び輸送中に容易に管理可能であるスポーツ用品を与えることを目的とする。
【課題を解決するための手段】
【０００４】
この目的を達成するために、本発明に従った充填可能なスポーツ用品は、液体と共にゲルを形成するようゲル形成手段を伴って組立体の一部を形成し、スポーツ用品は、液密の外側ケーシング及び可閉の充填機器を備える。スポーツ用品は、液密であり、ゲル形成手段と共に提供され、また、可閉の充填機器の開口部を備えられるため、スポーツ用品は、可閉の充填機器を介して水等の液体充填剤によって、消費者自身によって購入後に充填され得る。ゲル形成手段は、ここでは水に加えられる。この結果、周囲に跳ね散らない、又は殆ど跳ね散らない充填をもたらし、スポーツ用品は、使用中に望ましい動きを示す。未充填状態で用品は、更に、充填状態より非常に軽く、取扱いが容易なようにされる。
【０００５】
本発明に従った組立体の望ましい実施では、外側ケーシングは、柔軟性があり、実質的には非伸縮性のプラスチックから製造される。この結果、製造は容易になり、スポーツ用品の低重量が達成され得る。柔軟性のあるケーシングにより、スポーツ用品は、圧縮され得るか、又は、未充填状態で共に折り畳まれ得、格納及び輸送中に、すぐに使用可能な状態よりも非常に少ない場所しか取らない。最終的に、折りたたまれた状態での格納及び輸送の間、破損のリスクがより少ない。非伸縮性の材料が選択されるため、使用中でもよい形状の維持が与えられ得る。
【０００６】
本発明の更なる実施例では、プラスチックはポリアミドを有する。かかる材料は、補強糸との組合せ、又は、押出しあるいは射出成形によって迅速に処理されるという利点を有する。かかる材料は、よい耐久性、衝撃耐久性、及び低い摩擦係数、及び効果的な音減衰を、更に有する。
【０００７】
本発明の更に他の実施例では、プラスチックはポリ塩化ビニルを有する。かかる材料は、その特性が、柔軟剤の使用を介して製造者及び／又はユーザの希望に迅速に適合され得ること、及び比較的廉価であること、という利点を有する。
【０００８】
本発明の好ましい実施例では、スポーツ用品は、パンチ・バッグによって形成される。本実施例では、上述の材料の特性が活用される。かかる実施例は、特には、前述の既知のパンチボールから区別される。かかる既知のパンチボールで空気袋は、外側ケーシング内にゆるくおかれているため、空気袋がボールの中を事実上無作為に動き、このパンチボールは使用する際に予測できない動きをする。更に、空気袋は水のみで部分的に充填されているだけであるため、この水はボールが打たれたときにバシャバシャと動き回り始め、結果としてボールの所望しない衝撃作用がもたらされる。本発明に従ったパンチバックは、使用時にはゲルで充填され、上述の問題は発生しない。
【０００９】
本発明の更なる実施例では、パンチ・バッグは、懸架の軸上でのパンチ・バッグの回転を防ぐよう、回転防止懸架手段を更に備えられる。回転防止懸架を与えられたことで、パンチ・バッグの動きは使用時により無作為ではなくなり、パンチ・バッグの所望しない動きをより少なくする。これは、経験が少ないボクサーにとっては特に重要である。
【００１０】
本発明の更なる実施例では、パンチ・バッグは、回転防止懸架手段を取り付けるよう、外側ケーシングに一体化した懸架用の孔を有する。懸架用の孔は、外側ケーシングと一体化しているため、懸架用の孔の周辺に平滑な面が得られ、パンチ・バッグを吊り下げることによって引き起こされる重さの力は、懸架用の孔の周辺にわたって均一に分配される。
【００１１】
本発明の他の実施例では、可閉の充填機器は、外側ケーシングと一体化されたネジ部を有し、ネジ部にねじ込むネジ蓋によって閉じられる。
【００１２】
本発明の他の実施例では、ネジ部の切込み側は、懸架用の孔の内側に位置付けられる。充填機器のこの配置、即ち、ネジ部とネジ蓋の組合せは、充填機器のおそらく突出する部分は懸架用の孔によって保護されるため、充填機器に破損を与える危険と、ユーザが損傷を受ける危険は小さい。
【００１３】
本発明の更に他の実施例では、パンチ・バッグの外側ケーシングは透明であり、パンチ・バッグは、パンチ・バッグ内に配置された切換え可能な光源を備えられる。本実施例を伴い、パンチ・バッグ上の打撃力の表示が得られ得る。このようにして、パンチ・バッグ内に打撃力センサを配置することが可能であり、殴打の所定の値を超えると光源のスイッチが入るようスイッチを作動させる。故に、殴打についての情報のフィードバックは、パンチ・バッグのユーザに対して行われる。
【００１４】
本発明の更に他の実施例では、パンチ・バッグは、外側ケーシング上に配置されたマーキングを与えられる。このマーキングは、パンチ・バッグ上に殴打を位置決めするターゲットの表示として使用され得る。
【発明を実施するための最良の形態】
【００１５】
本発明は図を参照して説明される。図中、対応する構成要素は同一の参照符号で示す。
【００１６】
図１は、パンチ・バッグ１の形状で、液体で充填可能なスポーツ用品の部分的断面図を示す。このパンチ・バッグ１は、液密で柔軟性のある外側ケーシング２及び可閉の充填機器４を備えられる。この充填機器は、図２を参照して更に説明されるであろう。外側ケーシングは、ポリアミド、又はポリ塩化ビニルから製造され、任意で、柔軟性、非伸縮特性、強度、及び摩擦係数等の使用の目的に関して所望される特性を外側ケーシングに与えるよう、１つ又はそれ以上の混合を備える。色素、柔軟剤、充填剤、酸化防止剤、安定剤、加硫剤、生産成形からの完成品をリリースするリリース手段、及び／又は反静電混和剤等の他の更なる材料は、加えられる得る。外側ケーシングの他の適切な構成は、例えば、ビニル被覆を備えた織ったナイロン体（ｗｏｖｅｎ  ｎｙｌｏｎ  ｃａｒｃａｓｓ）、又はスチレンブタジエンゴムを有する。外側ケーシングは、例えば数ミリメートルである、所望された強度及び伸縮抵抗性を得るのに十分である厚さを有する。かかる材料の使用に伴い、強い水密バッグが得られ、内側バッグは必要とされない。
【００１７】
図１に図示されるパンチ・バッグは、略円筒状の中心部６を備えた細長い形状を有する。パンチ・バッグは、外側ケーシング２に一体化された懸架用の孔８を更に備える。これは、同一の生産段階で、及び外側ケーシング２として同一の金型で、懸架用の孔を形成することによってなされ得る。
【００１８】
パンチ・バッグは、使用される前にユーザよって水で充填され、それにゲル形成手段が加えられる。水の量は、パンチ・バッグを完全に満たす必要はないが、液体面１６で図１中に示す通り、６０％又は７０％等の充填で十分である可能性がある。ゲル形成手段の量は、パンチ・バッグに充填する水の所望の特性に依存し、通常は、１リットルあたり２グラムより多く、また、１リットル当たり１０グラムより少ない。このゲル形成手段は、粉末状であり、バッグ内の水の飛び跳ねを防止する構成を有する。かかるゲル形成手段は、「Ｂｌｕｅ  Ｍａｇｉｃ」（登録商標）の名称で入手可能である。製造者は、Ｂｌｕｅ  Ｍａｇｉｃ  Ｐｒｏｄｕｃｔｓ社であり、登録事務所は米国カリフォルニア州ストックトンにある。Ｂｌｕｅ  Ｍａｇｉｃは、液体に菌類及び細菌が含まれないように保持する混和剤を備えた水溶性のセルロース・ポリマを有する。この物質は、ウォーターベッド等でのゲル形成手段としての使用が既知である。パンチ・バッグ内の水のゲル形成が行なわれると、使用することができる。
【００１９】
図２は、本発明に従ったパンチ・バッグ用の可閉の充填機器４をより詳細に示す。充填機器４は、充填開口部１０を有する。充填開口部は、ネジ蓋１２を用いてユーザによって閉じられ得、ネジ蓋１２は、充填開口部１０におけるネジ山（図示せず）と協働する。充填開口は、内部ネジ山を備えた管によって形成され得、内部ネジ山は外側ケーシングと一体化されており、内部に成形される。ネジ部の切込み側、即ちネジ蓋１２がねじ込まれるべき側は、懸架用の孔８の内側に位置付けられる。よりよい液密を得るよう、ネジ蓋１２と充填開口部１０の切込み側との間に置かれる締めリング１４を更に与えられる。このように形成された可閉の充填機器４は、このように懸架用の孔８に配置され、充填開口部がそこに隠され、使用中の破損又はユーザへの損傷をもたらし得ない。
【００２０】
図３は、本発明に従ったパンチ・バッグ用の回転防止懸架手段をより詳細に図示する。これらの懸架手段は、パンチ・バッグが、円筒状の中間部６の円筒の軸の周囲を回転することを防ぐよう意図されている。懸架手段は、細長い一片の部分１８を有する。部分１８は、所望される回転防止効果を有するよう、十分に大きな捩れ剛性を有する。細長い一片の部分１８は、多くの孔２０を備えられる。孔２０によってユーザは、正しい孔を選んで所望の高さでパンチ・バッグを吊るすことができる。パンチ・バッグは、上部に細長い一片の部分１８を懸架フック２２に取り付けることによって懸架される。懸架フック２２は、パンチ・バッグが使用される空間の天井等に固定される。パンチ・バッグの細長い一片の部分１８への取付けは、スナップ・フック２４を用いて行なわれ得る。
【００２１】
最後に、本発明は、上述及び図示の実施例に明確に制限されないが、上述の説明及び図面の観点より添付の請求項の保護の範囲内のいかなる実施例にも一般的に拡大する。
【図面の簡単な説明】
【００２２】
【図１】本発明に従ったパンチ・バッグの部分的断面図である。
【図２】本発明に従ったパンチ・バッグ用の可閉の充填機器の部分的断面図である。
【図３】本発明に従ったパンチ・バッグの回転防止懸架手段を図示する。
【図１】
2006515527.tif 000003
【図２】
2006515527.tif 000004
【図３】
2006515527.tif 000005
【手続補正書】
【提出日】平成17年3月30日(2005.3.30)
【手続補正１】
【補正対象書類名】明細書
【補正対象項目名】全文
【補正方法】変更
【補正の内容】
【発明の詳細な説明】
【技術分野】
【０００１】
本発明は、内部に液体を配置され得る外側ケーシングを備えたスポーツ用品に係る。
【背景技術】
【０００２】
かかるパンチボールは、英国特許第２６１，６１４号明細書（特許文献１）から既知である。かかるパンチボールは、部分的に水で充填された未結合の空気袋を内部に位置付けられた外側ケーシングを有する。前述の特許からは、空気袋がどのように外側ケーシング内に置かれるか、又は水がどのように空気袋に入れられるか推察することが出来ない。しかしながら、従来は、液体で充填可能なスポーツ用品は、既に液体充填剤で充填された状態で提供されることが通常である。
【特許文献１】英国特許第２６１，６１４号明細書
【特許文献２】独国特許発明第４５４，６６９号明細書
【発明の開示】
【発明が解決しようとする課題】
【０００３】
本発明は、製造、格納、及び輸送中に容易に管理可能であるパンチボールを与えることを目的とする。
【課題を解決するための手段】
【０００４】
この目的を達成するために、本発明に従った充填可能なパンチボールは、液体と共にゲルを形成するようゲル形成手段を伴って組立体の一部を形成し、パンチボールは、液密の外側ケーシング及び可閉の充填機器を備える。パンチボールは、液密であり、ゲル形成手段と共に提供され、また、可閉の充填機器の開口部を備えられるため、パンチボールは、可閉の充填機器を介して水等の液体充填剤によって、消費者自身によって購入後に充填され得る。ゲル形成手段は、ここでは水に加えられる。この結果、周囲に跳ね散らない、又は殆ど跳ね散らない充填をもたらし、パンチボールは、使用中に望ましい動きを示す。未充填状態で用品は、更に、充填状態より非常に軽く、取扱いが容易なようにされる。かかる既知のパンチボールで空気袋は、外側ケーシング内にゆるくおかれているため、空気袋がボールの中を事実上無作為に動き、このパンチボールは使用する際に予測できない動きをする。更に、空気袋は水のみで部分的に充填されているだけであるため、この水はボールが打たれたときにバシャバシャと動き回り始め、結果としてボールの所望しない衝撃作用がもたらされる。本発明に従ったパンチバックは、使用時にはゲルで充填され、上述の問題は発生しない。
【０００５】
独国特許発明第４５４，６６９号明細書（特許文献２）より、水で充填可能なパンチ・バッグが既知である。パンチ・バッグは、液密の外側ケーシング及び可閉の充填機器を備えられる。本発明によって解決される技術的問題は、使用中に予測通りに動くパンチ・バッグを与えることである。かかる問題への解決策は、請求項１の技術的措置を残すことによって形成される。即ち、本発明に従った充填可能なパンチ・バッグは、上述された通り、液体と組み合わされてゲルを形成するゲル形成手段を備えた組立体の一部を形成する。
【０００６】
本発明に従った組立体の望ましい実施では、外側ケーシングは、柔軟性があり、実質的には非伸縮性のプラスチックから製造される。この結果、製造は容易になり、パンチ・バッグの低重量が達成され得る。柔軟性のあるケーシングにより、パンチ・バッグは、圧縮され得るか、又は、未充填状態で共に折り畳まれ得、格納及び輸送中に、すぐに使用可能な状態よりも非常に少ない場所しか取らない。最終的に、折りたたまれた状態での格納及び輸送の間、破損のリスクがより少ない。非伸縮性の材料が選択されるため、使用中でもよい形状の維持が与えられ得る。
【０００７】
本発明の更なる実施例では、プラスチックはポリアミドを有する。かかる材料は、補強糸との組合せ、又は、押出しあるいは射出成形によって迅速に処理されるという利点を有する。かかる材料は、よい耐久性、衝撃耐久性、及び低い摩擦係数、及び効果的な音減衰を、更に有する。
【０００８】
本発明の更に他の実施例では、プラスチックはポリ塩化ビニルを有する。かかる材料は、その特性が、柔軟剤の使用を介して製造者及び／又はユーザの希望に迅速に適合され得ること、及び比較的廉価であること、という利点を有する。
【０００９】
本発明の更なる実施例では、パンチ・バッグは、懸架の軸上でのパンチ・バッグの回転を防ぐよう、回転防止懸架手段を更に備えられる。回転防止懸架を与えられたことで、パンチ・バッグの動きは使用時により無作為ではなくなり、パンチ・バッグの所望しない動きをより少なくする。これは、経験が少ないボクサーにとっては特に重要である。
【００１０】
本発明の更なる実施例では、パンチ・バッグは、回転防止懸架手段を取り付けるよう、外側ケーシングに一体化した懸架用の孔を有する。懸架用の孔は、外側ケーシングと一体化しているため、懸架用の孔の周辺に平滑な面が得られ、パンチ・バッグを吊り下げることによって引き起こされる重さの力は、懸架用の孔の周辺にわたって均一に分配される。
【００１１】
本発明の他の実施例では、可閉の充填機器は、外側ケーシングと一体化されたネジ部を有し、ネジ部にねじ込むネジ蓋によって閉じられる。
【００１２】
本発明の他の実施例では、ネジ部の切込み側は、懸架用の孔の内側に位置付けられる。充填機器のこの配置、即ち、ネジ部とネジ蓋の組合せは、充填機器のおそらく突出する部分は懸架用の孔によって保護されるため、充填機器に破損を与える危険と、ユーザが損傷を受ける危険は小さい。
【００１３】
本発明の更に他の実施例では、パンチ・バッグの外側ケーシングは透明であり、パンチ・バッグは、パンチ・バッグ内に配置された切換え可能な光源を備えられる。本実施例を伴い、パンチ・バッグ上の打撃力の表示が得られ得る。このようにして、パンチ・バッグ内に打撃力センサを配置することが可能であり、殴打の所定の値を超えると光源のスイッチが入るようスイッチを作動させる。故に、殴打についての情報のフィードバックは、パンチ・バッグのユーザに対して行われる。
【００１４】
本発明の更に他の実施例では、パンチ・バッグは、外側ケーシング上に配置されたマーキングを与えられる。このマーキングは、パンチ・バッグ上に殴打を位置決めするターゲットの表示として使用され得る。
【発明を実施するための最良の形態】
【００１５】
本発明は図を参照して説明される。図中、対応する構成要素は同一の参照符号で示す。
【００１６】
図１は、パンチ・バッグ１の形状で、液体で充填可能なスポーツ用品の部分的断面図を示す。このパンチ・バッグ１は、液密で柔軟性のある外側ケーシング２及び可閉の充填機器４を備えられる。この充填機器は、図２を参照して更に説明されるであろう。外側ケーシングは、ポリアミド、又はポリ塩化ビニルから製造され、任意で、柔軟性、非伸縮特性、強度、及び摩擦係数等の使用の目的に関して所望される特性を外側ケーシングに与えるよう、１つ又はそれ以上の混合を備える。色素、柔軟剤、充填剤、酸化防止剤、安定剤、加硫剤、生産成形からの完成品をリリースするリリース手段、及び／又は反静電混和剤等の他の更なる材料は、加えられる得る。外側ケーシングの他の適切な構成は、例えば、ビニル被覆を備えた織ったナイロン体（ｗｏｖｅｎ  ｎｙｌｏｎ  ｃａｒｃａｓｓ）、又はスチレンブタジエンゴムを有する。外側ケーシングは、例えば数ミリメートルである、所望された強度及び伸縮抵抗性を得るのに十分である厚さを有する。かかる材料の使用に伴い、強い水密バッグが得られ、内側バッグは必要とされない。
【００１７】
図１に図示されるパンチ・バッグは、略円筒状の中心部６を備えた細長い形状を有する。パンチ・バッグは、外側ケーシング２に一体化された懸架用の孔８を更に備える。これは、同一の生産段階で、及び外側ケーシング２として同一の金型で、懸架用の孔を形成することによってなされ得る。
【００１８】
パンチ・バッグは、使用される前にユーザよって水で充填され、それにゲル形成手段が加えられる。水の量は、パンチ・バッグを完全に満たす必要はないが、液体面１６で図１中に示す通り、６０％又は７０％等の充填で十分である可能性がある。ゲル形成手段の量は、パンチ・バッグに充填する水の所望の特性に依存し、通常は、１リットルあたり２グラムより多く、また、１リットル当たり１０グラムより少ない。このゲル形成手段は、粉末状であり、バッグ内の水の飛び跳ねを防止する構成を有する。かかるゲル形成手段は、「Ｂｌｕｅ  Ｍａｇｉｃ」（登録商標）の名称で入手可能である。製造者は、Ｂｌｕｅ  Ｍａｇｉｃ  Ｐｒｏｄｕｃｔｓ社であり、登録事務所は米国カリフォルニア州ストックトンにある。Ｂｌｕｅ  Ｍａｇｉｃは、液体に菌類及び細菌が含まれないように保持する混和剤を備えた水溶性のセルロース・ポリマを有する。この物質は、ウォーターベッド等でのゲル形成手段としての使用が既知である。パンチ・バッグ内の水のゲル形成が行なわれると、使用することができる。
【００１９】
図２は、本発明に従ったパンチ・バッグ用の可閉の充填機器４をより詳細に示す。充填機器４は、充填開口部１０を有する。充填開口部は、ネジ蓋１２を用いてユーザによって閉じられ得、ネジ蓋１２は、充填開口部１０におけるネジ山（図示せず）と協働する。充填開口は、内部ネジ山を備えた管によって形成され得、内部ネジ山は外側ケーシングと一体化されており、内部に成形される。ネジ部の切込み側、即ちネジ蓋１２がねじ込まれるべき側は、懸架用の孔８の内側に位置付けられる。よりよい液密を得るよう、ネジ蓋１２と充填開口部１０の切込み側との間に置かれる締めリング１４を更に与えられる。このように形成された可閉の充填機器４は、このように懸架用の孔８に配置され、充填開口部がそこに隠され、使用中の破損又はユーザへの損傷をもたらし得ない。
【００２０】
図３は、本発明に従ったパンチ・バッグ用の回転防止懸架手段をより詳細に図示する。これらの懸架手段は、パンチ・バッグが、円筒状の中間部６の円筒の軸の周囲を回転することを防ぐよう意図されている。懸架手段は、細長い一片の部分１８を有する。部分１８は、所望される回転防止効果を有するよう、十分に大きな捩れ剛性を有する。細長い一片の部分１８は、多くの孔２０を備えられる。孔２０によってユーザは、正しい孔を選んで所望の高さでパンチ・バッグを吊るすことができる。パンチ・バッグは、上部に細長い一片の部分１８を懸架フック２２に取り付けることによって懸架される。懸架フック２２は、パンチ・バッグが使用される空間の天井等に固定される。パンチ・バッグの細長い一片の部分１８への取付けは、スナップ・フック２４を用いて行なわれ得る。
【００２１】
最後に、本発明は、上述及び図示の実施例に明確に制限されないが、上述の説明及び図面の観点より添付の請求項の保護の範囲内のいかなる実施例にも一般的に拡大する。
【図面の簡単な説明】
【００２２】
【図１】本発明に従ったパンチ・バッグの部分的断面図である。
【図２】本発明に従ったパンチ・バッグ用の可閉の充填機器の部分的断面図である。
【図３】本発明に従ったパンチ・バッグの回転防止懸架手段を図示する。
【手続補正書】
【提出日】平成17年5月31日(2005.5.31)
【手続補正１】
【補正対象書類名】特許請求の範囲
【補正対象項目名】全文
【補正方法】変更
【補正の内容】
【特許請求の範囲】
【請求項１】
パンチ・バッグ（１）を有する組立体であって、液体、及び前記液体との組合せでゲルを形成するゲル形成手段で充填可能であり、前記パンチ・バッグは、液密の外側ケーシング（２）及び可閉の充填機器（４）を備えられる、組立体。
【請求項２】
前記外側ケーシング（２）は、柔軟で実質的に非伸縮性のプラスチックから製造される、請求項１記載の組立体。
【請求項３】
前記プラスチックはポリアミドを有する、請求項２記載の組立体。
【請求項４】
前記プラスチックはポリ塩化ビニルを有する、請求項２記載の組立体。
【請求項５】
前記パンチ・バッグは、前記パンチ・バッグが懸架の軸の周囲を回転することを防ぐよう、回転防止懸架手段（１８）を更に備えられる、請求項１乃至４のうちいずれか一項記載の組立体。
【請求項６】
前記パンチ・バッグは、前記回転防止懸架手段（１８）を取り付けるよう前記ケーシングと一体化した懸架用の孔（８）を有する、請求項５記載の組立体。
【請求項７】
前記可閉の充填機器（４）は、前記外側ケーシング（２）と一体化されたネジ部を有し、前記ネジ部にねじ込むネジ蓋（１２）によって閉じられることが可能である、請求項１乃至６のうちいずれか一項記載の組立体。
【請求項８】
前記ネジ部の前記切込み側は、前記懸架用の孔（８）の前記内側に位置付けられる、請求項７記載の組立体。
【請求項９】
前記外側ケーシング（２）は透明であり、前記パンチ・バッグは、前記パンチ・バッグ内に配置された切換え可能な光源を備えられる、請求項１乃至８のうちいずれか一項記載の組立体。
【請求項１０】
前記外側ケーシング（２）上に配置されたマーキングを備えられた、請求項１乃至９のうちいずれか一項記載の組立体。
【国際調査報告】
2006515527.tif 000006
2006515527.tif 000007
2006515527.tif 000008